(57)【要約】【課題】  簡単な構造で変わる使用を可能にする輸送容器装置を提供する。【解決手段】  車両用輸送容器装置（１０）は、車両に固定した保持枠（１４）を持ち、この保持枠（１４）に輸送容器（１５）が固定され、この輸送容器（１５）が、蓋素子（２２）により閉鎖可能で輸送容器の内部空間（１９）へ入るのを可能にする少なくとも１つの開口（３８）を持っている。本発明により、蓋素子（２２）が、特に別の蓋素子との交換のため、輸送容器（１５）及び／又は保持枠（１４）から完全に取外し可能であり、蓋素子（２２）用取付け装置（２４）が設けられ、この取付け装置により蓋素子（２２）が車両側に取外し可能に固定可能である。【選択図】  図２
2005145455.tif 000002
【特許請求の範囲】
【請求項１】
車両用輸送容器装置（１０）であって、車両に固定した保持枠（１４）を持ち、この保持枠（１４）に輸送容器（１５）が固定され、この輸送容器（１５）が、蓋素子（２２）により閉鎖可能で輸送容器の内部空間（１９）へ入るのを可能にする少なくとも１つの開口（３８）を持っているものにおいて、蓋素子（２２）が、輸送容器（１５）及び／又は保持枠（１４）から完全に取外し可能であり、蓋素子（２２）用取付け装置（２４）が設けられ、この取付け装置により蓋素子（２２）が車両側に取外し可能に固定可能であることを特徴とする、輸送容器装置。
【請求項２】
蓋素子（２２）に機能装置（２０）が付属していることを特徴とする、請求項１に記載の輸送容器装置。
【請求項３】
輸送容器（１５）が自動車の後部座席背もたれ（１１）に付属していることを特徴とする、請求項１又は２に記載の輸送容器装置。
【請求項４】
固定された状態にある蓋素子（２２）が、車両の走行方向において輸送容器（１５）の内部空間（１９）の前部区画壁（１６）を形成していることを特徴とする、請求項１〜３の１つに記載の輸送容器装置。
【請求項５】
取付け装置（２４）を操作する操作素子（２５）が設けられていることを特徴とする、請求項１〜４の１つに記載の輸送容器装置。
【請求項６】
蓋素子（２２）が開かれる場合にのみ操作素子（２５）に接近可能であることを特徴とする、請求項５に記載の輸送容器装置。
【請求項７】
蓋素子（２２）が機能装置（２０）用担持装置（２１）を持っていることを特徴とする、請求項１〜６の１つに記載の輸送容器装置。
【請求項８】
取付け装置（２４）が、スナップ結合装置として構成されていることを特徴とする、請求項１〜７の１つに記載の輸送容器装置。
【請求項９】
取付け装置（２４）がスナップ鉤（２７，３７）を持っていることを特徴とする、請求項８に記載の輸送容器装置。
【請求項１０】
車両側に固定される蓋素子（２２）が、保持枠（１４）に対して揺動可能に設けられていることを特徴とする、請求項１〜９の１つに記載の輸送容器装置。
【請求項１１】
輸送容器（１５）が保持枠（１４）に取外し可能に固定されていることを特徴とする、請求項１〜１０の１つに記載の輸送容器装置。
【発明の詳細な説明】
【技術分野】
【０００１】  本発明は、請求項１の上位概念に記載の車両特に乗用自動車の座席背もたれ又はトランクの壁側取付け用輸送容器装置に関する。
【背景技術】
【０００２】  このような輸送容器装置はドイツ連邦共和国特許出願公開第１０１３２０８１号明細書から公知である。その図２の実施例による輸送容器はスキー袋モジュールとして構成され、走行方向において前部の蓋と、走行方向において後部の蓋とを持ち、これらの蓋はいずれも輸送容器の基部の範囲で揺動可能に枢着されている。輸送容器の内部空間は、折り畳まれたスキー袋の収容のために用いられる。ドイツ連邦共和国特許出願公開第１０１３２０８１号明細書の図２の実施例によれば、輸送容器装置は両方向引出し装置として構成されている。【０００３】  必要な場合このような輸送容器を車両側の保持枠から取外し、別の輸送容器を挿入モジュール例えば冷蔵庫モジュール又は包帯箱モジュールとして挿入することは既に公知である。必要に応じて利用者は適当なモジュールを選択し、例えばそのために後部座席の背もたれに設けられる保持切欠きへ挿入することができる。【０００４】  例えば冷蔵庫モジュールとして構成される輸送容器では、蓋素子が設けられて、冷蔵庫扉のように開放可能であり、冷蔵空間に設けられて冷却すべき食料品への接近を可能にする。
【発明の開示】
【発明が解決しようとする課題】
【０００５】  従来技術による輸送箱装置は、多様な使用において有効なことがわかった。しかし必要性従ってドイツ連邦共和国特許出願公開第１０１３２０８１号明細書から公知で請求項１の上位概念に記載の輸送容器装置を発展させて、簡単な構造で一層多様な使用を可能にするという、本発明の課題がある。
【課題を解決するための手段】
【０００６】  本発明は、この課題を請求項１の特徴部分によって解決し、従って蓋素子が、特に別の蓋素子との交換のため、輸送容器及び／又は保持枠から完全に取外し可能であり、蓋素子用取付け装置が設けられ、この取付け装置により蓋素子が車両側に取外し可能に固定可能であることを特徴としている。【０００７】  従って本発明の原理は、大体において蓋素子を取外し可能に構成して、例えば蓋素子が開かれた状態で邪魔になる場合、この蓋素子を特別な取付け状態で取除くことができるようにすることである。【０００８】  本発明による輸送容器装置は、例えば従来技術の装置において開かれる蓋素子のため今まで必ず必要とされてひじ掛け又は他のクッション部分により与えられる載置面がなくてもよい取付け状態でも、使用可能である。車両にこのようなひじ掛けがないか、又は異なる取付け状態のため載置面を提供するこのようなクッション部分が存在しないと、蓋素子を保持枠又は輸送容器から簡単に取外すことができる。【０００９】  特に本発明による輸送容器装置では、今や蓋素子に機能装置が付属しているような使用が可能である。【００１０】  本発明の有利な構成によれば、例えば制御卓、ＤＶＤ演奏装置、モニタ、コップ保持体等のような機能装置が蓋素子に付属している。【００１１】  取付けられる機能装置を持つ蓋素子は、こうして取付け装置により保持枠又は輸送容器に取外し可能に取付け可能である。蓋素子は今や交換可能なモジュールであり、このモジュールは、使用目的に応じてコップ保持体モジュール、制御卓モジュール、ＤＶＤモジュール又はモニタモジュール等であってもよい。従ってモジュールの交換のため、蓋素子を車両側取付け個所から外して、希望に応じたモジュールに代えることができる。【００１２】  本発明によれば、例えば取付け装置により蓋素子を直接保持枠に取付けるか、又はその代わりに保持枠に固定されている輸送容器例えば輸送容器の取付け枠に取付けることができる。本発明の意味における機能装置として、特別な使用機能を与えるあらゆる装置が形成される。それはオーディオ装置又はビデオ装置のような電子機能装置である必要はない。ひじ掛け、せき止め棚又は電気窓昇降装置用操作素子等のような機能素子も設けることができる。【００１３】  種々の機能装置を持つ一連の異なるモジュールが設けられている場合、本発明によれば、このようなモジュールシステムの安価な実現を行うことができる。なぜならば、交換モジュールは、必要な特別の機能装置のほかに、蓋素子を持っていればよいからである。本発明によれば、あらゆる機能装置に、固有の取付け枠を持つ完全な輸送容器を付属させる必要がない。保持枠に一旦固定された輸送容器の取付け枠及び取付け枠により区画される輸送容器の内部空間は、異なる機能装置を持つ異なる蓋素子の取付けを可能にする。【００１４】  蓋素子が車両側に固定されている場合、蓋素子は、従来技術におけるように、保持枠に対して揺動可能に設けることができる。この場合、揺動軸線から遠い方にある蓋素子の範囲特に縁範囲に、ドイツ連邦共和国特許出願公開第１０１３２０８１号明細書の図２に符号２４で示されているように、掛け金素子が有利に設けられている。【００１５】  ���発明の有利な構成によれば、固定された状態にある蓋素子が、車両の走行方向において輸送容器の内部空間の前部区画壁を形成している。本発明のこの構成は、特に自動車の後部座席背もたれに輸送容器を取付ける際に有利である。なぜならば、このようにして乗客が、乗客空間から、機能装置を持つ蓋素子の交換を特に簡単かつ快適に行うことができるからである。【００１６】  本発明の別の有利な構成によれば、取付け装置を操作する操作素子が、特に取付け装置を取外すために設けられている。このような操作素子は、車両側固定を行うため又は車両側取付け個所から蓋素子を取外すための特に簡単な取り扱いを可能にする。【００１７】  本発明の別の有利な構成によれば、蓋素子が開かれる場合にのみ操作素子に接近可能である。本発明のこの構成は、蓋素子が閉じられる場合、車両側の取付け個所から蓋素子の誤った予期しない取外しが行われるのを防止する。【００１８】  本発明の別の有利な構成によれば、蓋素子が機能装置用担持装置を持っている。例えば輸送容器の内部空間に面する蓋素子の側に、例えば蓋素子に対して機能装置を移動可能にするレール装置等を設けることができる。【００１９】  本発明の別の有利な構成によれば、取付け装置が、スナップ結合装置として構成されている。こうして蓋素子の車両側固定を特に快適に行うことができる。スナップ結合とそれに伴って例えばスナップ鉤のスナップばめの際の騒音のような音響表示のため、固定が規則正しく行われていることを利用者に通報することができる。他方スナップ結合装置を実現する際、例えば案内面を設けることにより、車両側取付け個所に対する蓋素子の案内される運動に関して、特に簡単な可能性も与えられる。【００２０】  本発明のそれ以外の利点は、引用されない従属請求項及び図に示されている２つの実施例の以下の説明から明らかになる。
【発明を実施するための最良の形態】
【００２１】  図において全体に符号１０を付けられている車両用輸送容器装置は、図には一部だけ非常に概略化して示されている。反覆を避けるため、対比可能な輸送容器装置１０を示すドイツ連邦共和国特許出願公開第１０１３２０８１号明細書が参照される。【００２２】  図１による輸送容器装置１０は、走行方向ｘに走行可能な自動車の乗客空間１３から荷物空間１２を分離する後部座席背もたれ１１に取付けられている。背もたれ１１、背もたれ側に固定された保持枠１４及び輸送容器１５の一部切欠かれた図は、ドイツ連邦共和国特許出願公開第１０１３２０８１号明細書の図１２において左下の縁部分に大体相当している。【００２３】  ドイツ連邦共和国特許出願公開第１０１３２０８１号明細書の図２から、走行方向において前部の蓋素子２３及び走行方向において後部の蓋素子２２を輸送容器に付属させることは既に公知である。従来技術の輸送容器装置では、両方の蓋素子２２，２３は、輸送容器の基部範囲で取付け枠に揺動可能に枢着されている。【００２４】  本願の図１の実施例は、輸送容器１５の基部範囲のみを示し、この輸送容器１５は図１において右上方へ更に延びている。延びている方向Ｓには輸送容器１５の図示しない頭部範囲もあり、図示しない掛け金素子により、保持枠１４の図示しない頭部範囲内に取付け可能である。このような掛け金素子は例えばドイツ連邦共和国特許出願公開第１０１３２０８１号明細書に記載され、符号２７を付けられている。本願の図１による輸送容器１５が、本発明の実施例において意図されているように、車両側に固定された保持枠１４に取外し可能に取付けられている場合、従来技術の掛け金素子と対比可能な掛け金素子が設けられている。【００２５】  図１によれば、輸送容器１５は、走行方向ｘにおいて前部の壁１６及び走行方向ｘにおいて後部の壁１７を持っている。両方の壁１６，１７は、周方向に包囲する取付け枠１８と共に、輸送容器１５の内部空間１９を区画している。この取付け枠１８は、ドイツ連邦共和国特許出願公開第１０１３２０８１号明細書に記載されかつそこで符号Ｅを付けられている取付け枠と対比可能である。【００２６】  内部空間１９は機能装置２０の収容のために用いられ、この機能装置２０は、前部壁１６を構成する蓋素子２２に、担持装置２１により固定されている。場合によっては機能装置２０を蓋素子２２に取外し可能に固定することもできる。【００２７】  担持装置２１は例えば担板であるが、その代わりに機能装置２０の移動を可能にする装置例えば伸縮装置又はレール装置であってもよい。【００２８】  蓋素子２２は、図１により取付けられた状態で、支持輪の範囲にある揺動軸線２３の周りに、保持枠１４に対して、従って同時に保持枠１４に固定されている輸送容器１５に対して、揺動可能である。【００２９】  図１に示すように固定されて内部空間１９を閉鎖した状態で、図１には示してないが延び方向Ｓにおいて蓋素子２２の図示しない上縁にある掛け金素子が、適当な取付け枠範囲と共同作用するように設けられている。この掛け金素子は、ドイツ連邦共和国特許出願公開第１０１３２０８１号明細書の図２に同様に詳細には示されていないが符号２４を付けられている操作キーにより取外し可能な掛け金素子に相当している。重要なことは、図１による蓋素子２２が、図には示されてない上部又は頭部範囲においても、保持枠又は輸送容器１５に、図１の閉鎖位置で固定可能なことである。【００３０】  蓋素子２２は、図１及び２によれば、取付け装置２４により車両側に固定可能である。【００３１】  このため取付け装置２４は、車両側で揺動軸線２３の周りに揺動可能に固定された蝶番フランジ２８を持ち、実施例では、この蝶番フランジ２８は輸送容器１５の構成部分である。その代わりに、取付け装置２４の蝶番フランジ２８又は他の部分を、保持枠１４の構成部分として構成することもできる。【００３２】  蝶番フランジ２８は切欠き２９を持ち、蓋素子側揺動軸線２６の周りに揺動可能なスナップ鉤２７がこの切欠き２９へ入り込むことができる。図１によれば、蝶番フランジ２８は、蓋素子２２に設けられる受入れ部３０内にある。この状態でスナップ鉤２７の自由端が切欠き２９を貫通する。【００３３】  蓋素子２２を取外すため、図１の反時計方向にスナップ鉤２７及び操作素子２５の揺動を行うように、利用者が操作素子２５を操作することができる。図２によるこのような位置において、スナップ鉤２７が切欠き２９から出て、車両側取付け個所としての蝶番フランジ２８からの蓋素子２２の取外しを可能にする。【００３４】  図３及び４の実施例による別の構成は、図において蓋素子２２の下縁に設けられて少し変わった蝶番フランジ３２を受入れるための受入れ部３１を持っている。蝶番フランジ３２は、蓋素子２２にある切欠き又は溝３３へ入り込むことができる２つの制御面３５ａ，３５ｂ付きカム３４を持っている。【００３５】  図３によれば、蓋素子２２は車両に固定された状態にある。蝶番フランジ３２は、輸送容器１５又は取付け枠１８の構成部分である。車両側の取付け個所３６から蓋素子２２を取外すため、例えば引張り方向Ｚに充分大きい引張り力を蓋素子２２へ及ぼすことができる。【００３６】  しかしこのため、図３による蓋素子２２の閉鎖状態から始まって、まず反時計方向に蓋素子２２を揺動軸線２３の周りに少なくとも僅か揺動させることが必要である。なぜならば、図３の引張り方向Ｚにおける蓋素子２２の引張り運動は、図示してない保持枠頭部により妨げられるからである。図３による閉鎖位置から図４による開放位置へ蓋素子２２を揺動させるため、まず図示してないが蓋素子２２の頭部範囲に付属する蓋側掛け金素子を外さねばならない。【００３７】  蓋素子２２を蝶番フランジ３２から外すより小さい力で蓋素子２２を蝶番素子３２上へはめることができるように、カム３４に制御面３５ａ，３５ｂが形成されている。急峻な制御面３５ｂは大きい引出し力を必要とする。【００３８】  その代わりに蓋素子２２のスナップ鉤３７に図示しない操作素子を設け、操作の際この操作素子がスナップ鉤３７をカム３４から外して、蓋素子２２の取外しを可能にすることもできる。【００３９】  図に概略的にのみ示されている機能部分（機能装置）２０は、蓋素子２２と共に取扱い可能な装置である。それは例えばオーディオＣＤ装置、ビデオカセット装置、ＤＶＤ装置等の場合によっては付属のモニタを持つ演奏装置であってもよ���。場合によってはモニタを持つ制御卓、コップ保持体、茶わん保持体、せき止め棚等のモジュールも、機能装置２０として考慮される。【００４０】  蓋素子２２は、図２による揺動位置において、それが蝶番フランジ２８に近づいて、車両側で取付け装置２４により固定される場合にも、輸送容器１５の内部空間１９の入り口開口３８を閉鎖しないが、図１による蓋素子２２の揺動位置において、輸送容器１５は完全に閉鎖されている。【００４１】  例えば操作素子２５、スナップ鉤２７及び蝶番フランジ２８を含む取付け装置２４は、有利なように衝突に対して安全に構成されている。取付け素子２４の素子の安定な設計により、例えば適当な材料の選択によるか、又は金属の力案内素子の配置により、衝突の場合に生じて機能装置の大きい質量により蓋素子へ及ぼされる力を受止めることができる。
【図面の簡単な説明】
【００４２】
【図１】  取付け装置にある閉じた蓋素子を持ちかつ車両側保持枠の所における輸送容器の取付け範囲を一部切欠いた側面図で示す。
【図２】  開かれて車両側取付け個所から取外された蓋素子を持つ図１の実施例を示す。
【図３】  変わった取付け装置を持つ第２実施例を図１に対応する図で示す。
【図４】  図３の実施例を図２に対応する図で示す。
【符号の説明】
【００４３】１０              輸送容器装置
１４              保持枠
１５              輸送容器
１９              内部空間
２２              蓋素子
２４              取付け装置
３８              開口
【図１】
2005145455.tif 000003
【図２】
2005145455.tif 000004
【図３】
2005145455.tif 000005
【図４】
2005145455.tif 000006